(57)【要約】【課題】板状建材の壁面への取り付けに際し、目地を容易に形成することができる壁面の目地部構造を提供する。【解決手段】縦胴縁１の前面に対し、弾性目地部材１０が両面テープ等により付着される。この弾性目地部材１０の上に板状外装材１１，１１の側縁部が重ね合わされ、ビス１２が該外装材１１及び弾性目地部材１０を介して胴縁１に螺じ込まれ、これにより外装材１１が固定される。外装材１１，１１間には所定の目地間隙１３があいている。ビス１２を十分に強く螺じ込むと、弾性目地部材１０は外装材１１によって押し潰される如くして厚みが著しく小さくなる。目地間隙１３にあっては、弾性目地部材１０は外装材１１によって押し潰されず、弾性目地部材１０は目地間隙１３に入り込む。これにより、目地間隙１３の奥側に弾性目地部材１０が充填された外観仕上りとなる。【選択図】  図１
2004244905.tif 000002
【特許請求の範囲】
【請求項１】
壁下地の前面に板状建材が目地間隙をあけて取り付けられた壁面の目地部構造において、
該目地間隙を跨ぐ弾性目地部材が該壁下地の前面に配置され、
該弾性目地部材を押し潰すようにして該板状建材が該壁下地に取り付けられ、
該弾性目地部材が該目地間隙に入り込んでいる
ことを特徴とする壁面の目地部構造。
【請求項２】
請求項１において、該弾性目地部材の厚さは５〜１０ｍｍであり、該弾性目地部材が元の厚さの１０〜４０％となるように押し潰されていることを特徴とする壁面の目地部構造。
【請求項３】
請求項１又は２において、該弾性目地部材はゴム又は合成樹脂製の独立気泡発泡体よりなることを特徴とする壁面の目地部構造。
【請求項４】
請求項１ないし３のいずれか１項において、該壁下地は胴縁であり、該胴縁の前面に該弾性目地部材が付着され、前記板状建材が螺子部材により該胴縁に固定されていることを特徴とする壁面の目地部構造。
【請求項５】
請求項１において、前記壁下地は、縦胴縁と、該縦胴縁に取り付けられたレールとを備えており、
該縦胴縁に前記弾性目地部材が付着され、該弾性目地部材を押し潰すようにして該レールが取り付けられており、
該レールは、上段側の板状建材の下端が載荷される載荷片と、該載荷片の下側の第１立面及び上側の第２立面とを有しており、
下段側の板状建材の上部裏面が該第１立面に接着され、
上段側の板状建材の下端が該載荷片に載荷され、その下部の裏面が該第２立面に接着されており、
該板状建材の縦目地間隙に該弾性目地部材が入り込んでいることを特徴とする壁面の目地部構造。
【発明の詳細な説明】
【０００１】
【発明の属する技術分野】
本発明は、壁下地に板状建材が目地間隙をあけて取り付けられ、この目地間隙に目地材が存在している壁面の目地部構造に関する。
【０００２】
【従来の技術】
板状の外装材の施工法として、図３に示す工法が広く採用されている。図３の通り、胴縁（縦胴縁）１が躯体の柱や外面に取り付けられ、この胴縁１の前面に目地ジョイナー２が釘打ちなどにより取り付けられている。この目地ジョイナー２は、胴縁１に重なり、胴縁１の長手方向（上下方向）に延在する平帯状の主板部２ａと、該主板部２ａの幅方向中央から立設され、該主板部２ａの長手方向に延在した凸条２ｂとを有する。板状建材３，３は、この凸条２ｂの左右に配置され、ビス４によって胴縁１に固定される。その後、この目地間隙にシーリング材５が充填される。
【０００３】
なお、図３はシーリング材を用いたものであるが、特開平１１−２１７８８４号には、Ｔ字形の目地受け部材と、目地間隙の奥側に配置されるバックアップ材と、目地間隙の表側に配置される目地部材とによって目地構造を乾式にて構成する構造が記載されている。
【０００４】
【特許文献１】
特開平１１−２１７８８４号公報
【０００５】
【発明が解決しようとする課題】
図３に示した従来構造においては、目地ジョイナーを留め付ける工程と、シーリング材を打つ工程との２工程が必要であり、手間がかかる。
【０００６】
上記特開平１１−２１７８８４号公報でも、３種類の目地形成用部材を用いており、同様の手間がかかるという問題がある。
【０００７】
本発明は、上記従来の問題点を解決し、施工がきわめて簡単である壁面の目地部構造を提供することを目的とする。
【０００８】
【課題を解決するための手段】
本発明の壁面の目地部構造は、壁下地の前面に板状建材が目地間隙をあけて取り付けられた壁面の目地部構造において、該目地間隙を跨ぐ弾性目地部材が該壁下地の前面に配置され、該弾性目地部材を押し潰すようにして該板状建材が該壁下地に取り付けられ、該弾性目地部材が該目地間隙に入り込んでいることを特徴とするものである。
【０００９】
かかる本発明の壁面の目地部構造にあっては、弾性目地部材を壁下地に取り付け、この弾性目地部材を押し潰すようにして板状建材を壁下地に取り付けるだけで目地構造を構成できる。
【００１０】
なお、板状建材としては、タイル、各種サイディング等が例示される。
【００１１】
この弾性目地部材としては、ゴム又は合成樹脂製の独立気泡発泡体よりなるものが、押し潰し易く、且つ弾力性に優れ、好適である。
【００１２】
本発明の一態様では、壁下地は胴縁であり、該胴縁の前面に該弾性目地部材が付着され、前記板状建材が螺子部材により該胴縁に固定されている。この構造は、構成が簡易であり、低コストである。
【００１３】
本発明の別の一態様にあっては、壁下地は、縦胴縁と、該縦胴縁に取り付けられたレールとを備えており、該縦胴縁に前記弾性目地部材が付着され、該弾性目地部材を押し潰すようにして該レールが取り付けられており、該レールは、上段側の板状建材の下端が載荷される載荷片と、該載荷片の下側の第１立面及び上側の第２立面とを有しており、下段側の板状建材の上部裏面が該第１立面に接着され、上段側の板状建材の下端が該載荷片に載荷され、その下部の裏面が該第２立面に接着されており、該板状建材の縦目地間隙に該弾性目地部材が入り込んでいる。この構造は、縦胴縁と横引きレールとを用いており、既存外壁のリフォームに好適である。
【００１４】
【発明の実施の形態】
以下、図面を参照して実施の形態について説明する。図１（ａ）は実施の形態に係る壁面の目地部構造を示す水平断面図、図１（ｂ）はこの構造を説明する分解図である。図２はこの構造を説明する分解斜視図である。図４〜１０は別の実施の形態を示している。
【００１５】
図１，２に示す実施の形態にあっては、柱又は既存外壁（図示略）に沿って縦胴縁１が取り付けられ、上下方向に延在している。この縦胴縁１の前面に対し、図１（ｂ）及び図２の通り弾性目地部材１０が両面テープ、接着剤又は粘着剤により付着される。弾性目地部材１０としては、一方の面に粘着剤層が形成され、この粘着剤層が剥離紙で覆われているものであってもよい。この剥離紙を剥して弾性目地部材が縦胴縁に付着される。
【００１６】
この弾性目地部材１０の上に板状建材としての板状外装材１１，１１の側縁部が重ね合わされ、ビス１２が該外装材１１及び弾性目地部材１０を介して胴縁１に螺じ込まれ、これにより外装材１１が固定される。なお、ビス１２は柱や既存外壁にまで達するように長いものが好適である。
【００１７】
なお、外装材１１の縁部に、ビス１２を通すための孔を設けておくことが好ましい。
【００１８】
外装材１１，１１間には所定の目地間隙１３があいている。ビス１２を十分に強く螺じ込むと、弾性目地部材１０は外装材１１によって押し潰される如くして厚みが著しく小さくなる。目地間隙１３にあっては、弾性目地部材１０は外装材１１によって押し潰されず、図１（ａ）のように弾性目地部材１０は目地間隙１３に入り込む。これにより、目地間隙１３の奥側に弾性目地部材１０が充填された外観仕上りとなる。
【００１９】
このように、この実施の形態によると、目地ジョイナーを用いることなく、またシーリング材の充填作業を行うことなく、目地填めされた外装材取り付け構造とすることができる。この工法によると、資材コストが低廉であると共に、施工も容易となる。
【００２０】
なお、弾性目地部材１０としては独立気泡のゴム又は合成樹脂の発泡体よりなるものが好ましい。弾性目地部材の材質としては、耐水性、耐候性に優れたＥＰＤＭ等の合成ゴムが好適である。発泡体としては、外装材１１，１１によって押し潰し易くするために８〜１５倍特に約１０倍程度に発泡させたものが好ましい。弾性目地部材１０の施工前の元の厚さは５〜１０ｍｍ程度が好ましい。この弾性目地部材１０の厚さが元の厚さの１０〜４０％となるように外装材１１をビス留めすることが好ましい。
【００２１】
なお、独立気泡の発泡体よりなる弾性目地部材は、水の浸入を遮断するので、目地部内に入ってきた水が外装材１１の裏側に入り込むことが防止される。
【００２２】
図４〜１０を参照して別の実施の形態について説明する。
【００２３】
この実施の形態では、コンクリート壁などの建物の外壁面２０に沿ってアルミ製縦胴縁２１が配設され、アンカーボルト２２、ナット２３及び座金２４によって該縦胴縁２１が外壁面２０に固定されている。縦胴縁２１は、左右両側辺部がコ字形の水平断面形状のサイド部２１ａ，２１ａとなっており、これらサイド部２１ａ，２１ａ同士の間の幅方向中央部が凹陥部２１ｂとなっている。該凹陥部２１ｂには、予めボルト挿通用の孔（図示略）が穿設されている。サイド部２１ａ，２１ａは、この凹陥部２１ｂよりも前方に突出してる。
【００２４】
アンカーボルト２２は予め外壁面２０に打ち込まれている。アンカーボルト２２を縦胴縁２１のボルト挿通用の孔に通しつつこの縦胴縁２１を外壁面２０に当接させ、座金２４を嵌挿し、ナット２３を該アンカーボルト２２に螺じ込むことにより、縦胴縁２１が外壁面２０に固定される。図示の通り、凹陥部２１ｂの背面が外壁面２０に重なり、サイド部２１ａ，２１ａは外壁面２０から所定距離だけ前方に配置される。アンカーボルト２２はサイド部２１ａ，２１ａ同士の前面を結ぶ面よりも奥側に配置されている。
【００２５】
図４では、縦胴縁２１は１本だけ示されているが、左右方向に間隔をおいて複数本の縦胴縁２１が同様にして外壁面２０に取り付けられている。
【００２６】
次に、図５の通り、縦胴縁２１のサイド部２１ａ，２１ａ間に跨がるようにして弾性目地部材１０を該サイド部２１ａ，２１ａに両面テープ、粘着剤又は接着剤によって付着させる。この実施の形態では、弾性目地部材１０は縦胴縁２１の左右幅と略同一幅である。
【００２７】
次に、図６の通り、レール３０を水平に配置し、その長手方向の両端を縦胴縁２１に当接させ、リベット２９によって固定する。
【００２８】
レール３０は、下辺に沿って第１立面３１を有し、上辺に沿って第２立面３２を有し、これらの立面３１，３２同士の間が凹陥部３３となっている。この凹陥部３３は、縦断面形状がコ字形であり、立面３１，３２よりも後退するように設けられている。前記リベット２９は、この凹陥部３３に打たれている。第１立面３２及び第２立面３３は面一状となっている。第１立面３１の上端から前方に載荷片３４が突設されている。
【００２９】
リベット打ちに際しては、例えば、レール３０を縦胴縁２１上の弾性目地部材１０のレール取付予定位置に当てがい、レール３０の凹陥部３３、弾性目地部材１０及び縦胴縁２１のサイド部２１ａを通して、ドリルによりリベット孔を穿孔する。
【００３０】
次いで、レール３０を縦胴縁２１に十分に強く押し付け、弾性目地部材１０を十分に押し潰した後、リベット２９を打ってレール３０を縦胴縁２１に固定する。このレール３０の取り付け後の状態にあっては、弾性目地部材１０はレール３０の立面３１，３２の前面よりも前方にまで突出している。
【００３１】
なお、図７は、図６の構造を明瞭に示すために、図６において弾性目地部材１０を取り除いた状態を示している。
【００３２】
次に、図８の通り、レール３０の第１立面３１及び第２立面３２に弾性接着剤３８を塗布する。この弾性接着剤３８は、レール３０の左端側から右端側にまで連続して該立面３１，３２に塗布される。
【００３３】
次いで、板状建材４０をレール３０の載荷片３４に載荷させつつ該第１，第２立面３１，３２に接着する。板状建材４０は、その下端面が下段側レール３０の載荷片３４に載荷され、下端部の裏面が該下段側レール３０の第２立面３２に接着される。板状建材４０の上端部の裏面が、上段側レール３０の第１立面３１に接着される。
【００３４】
この接着に際しては、弾性接着剤３８が硬化するまで板状建材４０をレール３０に十分に強く押し付けておく。この押し付けにより、板状建材４０の左辺部及び右辺部と縦胴縁２１のサイド部２１ａ，２１ａとの間で弾性目地部材１０が十分に押し潰されると共に、板状建材４０，４０の縦目地間隙に弾性目地部材１０が入り込む。
【００３５】
下段側から順次に上記手順によって板状建材４０をレール３０に接着することにより、板状建材４０が取り付け施工された外壁面が構築される。
【００３６】
この外壁面にあっては、縦目地は、弾性目地部材１０による目地材料が充填されたように視覚される。横目地は空目地状に視覚される。
【００３７】
この図４〜１０の実施の形態においても、縦胴縁２１及びレール３０よりなる下地に対し弾性目地部材１０を介して板状建材４０の取り付けを行うことにより、目地詰めされた縦目地構造とすることができる。
【００３８】
上記実施の形態はいずれも本発明の一例であり、本発明は図示の構成に限定されるものではない。例えば、縦胴縁２１やレール３０の形状は図示以外とされてもよい。
【００３９】
なお、弾性目地部材１０の色は板状建材の色に合わせて種々選択すればよい。
【００４０】
【発明の効果】
以上の通り、本発明によると、板状建材の壁面への取り付けに際し、目地を容易に形成することができる。
【図面の簡単な説明】
【図１】図１（ａ）は実施の形態に係る壁面の目地部構造を示す水平断面図、図１（ｂ）はこの構造を説明する分解図である。
【図２】図１の構造を説明する分解斜視図である。
【図３】従来例の説明図である。
【図４】別の実施の形態を説明する斜視図である。
【図５】別の実施の形態を説明する斜視図である。
【図６】別の実施の形態を説明する斜視図である。
【図７】別の実施の形態を説明する斜視図である。
【図８】別の実施の形態を説明する斜視図である。
【図９】板状建材取付終了後における図８のＩＸ−ＩＸ線断面図である。
【図１０】板状建材取付終了後における図８のＸ−Ｘ線断面図である。
【符号の説明】
１  縦胴縁
１０  弾性目地部材
１１  外装材
２０  外壁面
２１  縦胴縁
２９  リベット
３０  レール
３１  第１立面
３２  第２立面
３４  載荷片
３８  弾性接着剤
４０  板状建材
【図１】
2004244905.tif 000003
【図２】
2004244905.tif 000004
【図３】
2004244905.tif 000005
【図４】
2004244905.tif 000006
【図５】
2004244905.tif 000007
【図６】
2004244905.tif 000008
【図７】
2004244905.tif 000009
【図８】
2004244905.tif 000010
【図９】
2004244905.tif 000011
【図１０】
2004244905.tif 000012